(57)【要約】【課題】レセプタクルから１動作で取り外すことができるようにし、光コネクタの破損や汚損を防止する。【解決手段】光コネクタ１０にストッパ５０を固定し、光コネクタ１０をハウジング２０の開口部２１内に収容する。ハウジング２０はストッパ５０に対し、光コネクタ１０のレセプタクルへの挿入方向に所定量変位可能とされてストッパ５０に係合され、ハウジング２０に対しストッパ５０はコイルばね４０によって後方へ付勢されている。光コネクタ１０のラッチ片１４の遊端上にはクリップ片１５の遊端が位置し、このクリップ片１５の遊端は、開口部２１内壁面に形成された凹部２３の前端にある傾斜面２３ａに位置される。レセプタクルからの取り外し時にはハウジング２０をコイルばね４０の付勢力に抗して引き抜く方向に変位させる。これにより、傾斜面２３ａによってクリップ片１５、ラッチ片１４が押し下げられ、ラッチ片１４の係止が解除される。【選択図】図２
2011180238.tif 000002
【特許請求の範囲】
【請求項１】
アダプタに挿入接続される光コネクタを内蔵し、アダプタを保持したレセプタクルと接続される光コネクタ内蔵プラグであって、
前記光コネクタの一面に形成され、前記アダプタへの挿入方向前端が固定端とされ、後端が遊端とされ、前記一面から徐々に離れるように延伸されて中間部に幅方向両側に突出する突起を有するラッチ片と、
前記一面に形成され、前記挿入方向後端が固定端とされ、前端が遊端とされ、その遊端が前記ラッチ片の遊端上に位置されたクリップ片と、
前記光コネクタの前記挿入方向後端側に配置され、前記光コネクタと連結固定されたストッパと、
前記ストッパに対し、前記挿入方向に所定量変位可能とされて前記ストッパと係合され、前記挿入方向前方の開口部内に前記光コネクタを収容するハウジングと、
前記ハウジングに対し、前記ストッパを前記挿入方向後方へ付勢する付勢部材とを備え、
前記クリップ片の遊端は、前記開口部の内壁面に形成された凹部の前記挿入方向前端にある傾斜面に位置されており、
前記レセプタクルとの接続時には、前記ラッチ片は前記開口部に進入してくる前記アダプタに設けられている押圧部によって前記突起が押圧されることにより押し下げられ、前記押圧部が前記突起を通過することにより元の状態に復帰して前記突起が前記押圧部の奥側に形成されている係合部に位置することによって前記アダプタに係止され、
前記レセプタクルからの取り外し時には、前記ハウジングを前記付勢部材の付勢力に抗して変位させることにより、前記傾斜面によって前記クリップ片が押し下げられると共に、前記ラッチ片が押し下げられて前記アダプタとの係止が解除され、係止解除後、前記付勢部材の付勢力によって前記ストッパが変位することによって前記ラッチ片及びクリップ片が元の状態に復帰する構成とされていることを特徴とする光コネクタ内蔵プラグ。
【請求項２】
請求項１記載の光コネクタ内蔵プラグにおいて、
前記付勢部材はコイルばねとされ、その内径は前記挿入方向から見た前記ラッチ片及びクリップ片を具備する前記光コネクタの外形より大とされていることを特徴とする光コネクタ内蔵プラグ。
【請求項３】
請求項１又は２記載の光コネクタ内蔵プラグにおいて、
前記ハウジングには前記レセプタクルとの接続時に防水構造を実現するシール部材が配設されていることを特徴とする光コネクタ内蔵プラグ。
【請求項４】
請求項１乃至３記載のいずれかの光コネクタ内蔵プラグにおいて、
前記光コネクタがＩＥＣ ６１７５４−２０に規格化された光コネクタであることを特徴とする光コネクタ内蔵プラグ。
【発明の詳細な説明】
【技術分野】
【０００１】
この発明は光ファイバの端末を保持した光コネクタを内蔵する光コネクタ内蔵プラグに関する。
【背景技術】
【０００２】
図１９は光ファイバを接続するために使用されるコネクタ（プラグ）の従来例として、特許文献１に記載されている構成を示したものであり、図中、１は光コネクタ（内部ファイバコネクタ組立体）を示し、２は外部ハウジング部、３はカラー部を示す。
【０００３】
光コネクタ１はその中間部分が外部ハウジング部２に収容されて保持されており、先端には光ファイバ端部を整列保持するフェルール１ａが位置されている。カラー部３は外部ハウジング部２に取り付けられて回転可能とされている。
【０００４】
光コネクタ１には後方が固定端とされて前方に延びるラッチ４が形成されている。ラッチ４は後方から頂上接触面５ａまで前方に延びた傾斜アーム部５を有し、さらにその先端から垂直方向下方に延びた垂直部６及び垂直部６に支持されて前方に延びる片持ち梁部７を有している。片持ち梁部７の先端には傾斜面７ａ及びロック縁７ｂが設けられている。
【０００５】
カラー部３は筒状とされ、その前端にはカム８が内周面より突出して形成されている。
【０００６】
上記のような構成を有するプラグでは相手コネクタとの接続時にはカラー部３を回転させることにより、カム８が回転してラッチ４の頂上接触面５ａと係合し、これにより頂上接触面５ａが押され、ラッチ４が押し下げられることにより、相手コネクタへの光コネクタ１の挿入が可能となり、カラー部３を回転してラッチ４を復帰させることにより、ロック縁７ｂが相手コネクタに係止されて接続が行われるものとなっている。
【先行技術文献】
【特許文献】
【０００７】
【特許文献１】特表２００７−５３７４６２号公報
【発明の概要】
【発明が解決しようとする課題】
【０００８】
ところで、上記のような構成とされたプラグでは相手コネクタから取り外す際にはカラー部３を回転させ、カム８によってラッチ４を押し下げることにより係止を解除し、その状態でプラグを引き抜くといった操作が必要となり、つまりカラー部３の回転、プラグの引き抜きといった２動作が必要となっている。
【０００９】
また、光コネクタ１はカラー部３より大きく前方に突出しているため、破損しやすく、汚れ等も付着しやすいものとなっており、その点で取り扱いに注意を要するものとなっていた。
【００１０】
さらに、例えばカラー部３の回転位置によっては相手コネクタとの接続状態においてもラッチ４がカム８によって押し下げられたままの状態になっている可能性があり、つまりラッチ４が変形したままの状態になっている可能性があり、この場合、応力が開放されず、クリープ現象によりラッチ４が塑性変形したり、折れるといった不具合が発生する恐れがあった。
【００１１】
この発明の目的はこのような問題に鑑み、接続及び取り外しを共に１動作で簡易に行うことができ、かつ光コネクタの破損や汚損を防止することができるようにした光コネクタ内蔵プラグを提供することにある。
【課題を解決するための手段】
【００１２】
請求項１の発明によれば、アダプタに挿入接続される光コネクタを内蔵し、アダプタを保持したレセプタクルと接続される光コネクタ内蔵プラグは、光コネクタの一面に形成され、アダプタへの挿入方向前端が固定端とされ、後端が遊端とされ、前記一面から徐々に離れるように延伸されて中間部に幅方向両側に突出する突起を有するラッチ片と、前記一面に形成され、挿入方向後端が固定端とされ、前端が遊端とされ、その遊端がラッチ片の遊端上に位置されたクリップ片と、光コネクタの挿入方向後端側に配置され、光コネクタと連結固定されたストッパと、ストッパに対し、挿入方向に所定量変位可能とされてストッパと係合され、挿入方向前方の開口部内に光コネクタを収容するハウジングと、ハウジングに対し、ストッパを挿入方向後方へ付勢する付勢部材とを備え、クリップ片の遊端は、前記開口部の内壁面に形成された凹部の挿入方向前端にある傾斜面に位置されており、レセプタクルとの接続時には、ラッチ片は前記開口部に進入してくるアダプタに設けられている押圧部によって前記突起が押圧されることにより押し下げられ、押圧部が前記突起を通過することにより元の状態に復帰して前記突起が押圧部の奥側に形成されている係合部に位置することによってアダプタに係止され、レセプタクルからの取り外し時には、ハウジングを付勢部材の付勢力に抗して変位させることにより、前記傾斜面によってクリップ片が押し下げられると共に、ラッチ片が押し下げられてアダプタとの係止が解除され、係止解除後、付勢部材の付勢力によってストッパが変位することによってラッチ片及びクリップ片が元の状態に復帰する構成とされる。
【００１３】
請求項２の発明では請求項１の発明において、付勢部材はコイルばねとされ、その内径は挿入方向から見たラッチ片及びクリップ片を具備する光コネクタの外形より大とされる。
【００１４】
請求項３の発明では請求項１又は２の発明において、ハウジングにはレセプタクルとの接続時に防水構造を実現するシール部材が配設される。
【００１５】
請求項４の発明では請求項１乃至３のいずれかの発明において、光コネクタがＩＥＣ ６１７５４−２０に規格化された光コネクタとされる。
【発明の効果】
【００１６】
この発明によれば、光コネクタ内蔵プラグをレセプタクルから取り外す際は、単に引き抜くといった１動作によりラッチ片の係止を解除して取り外すことができ、よって簡易に取り外すことができる。
【００１７】
また、光コネクタはハウジング内に収容保持されているため、光コネクタの破損や汚損を防止することができる。
【００１８】
さらに、レセプタクルとの接続時及びレセプタクルからの取り外し時のいずれにおいてもラッチ片は確実に所定の元の状態に復帰し、押し下げられて変形したままの状態になることはないため、応力が開放されず、例えばクリープ現象によりラッチ片が切損するといった事故を回避することができる。
【図面の簡単な説明】
【００１９】
【図１】この発明による光コネクタ内蔵プラグの一実施例の外観を示す斜視図。
【図２】図１に示した光コネクタ内蔵プラグの断面図。
【図３】図１に示した光コネクタ内蔵プラグの分解斜視図。
【図４】ストッパの斜視図。
【図５】光コネクタとストッパの組み立てを説明するための図。
【図６】コイルばねの装着を説明するための図。
【図７】ハウジングとストッパの係合状態を説明するための図。
【図８】ハウジングとエンドベルの組み立てを説明するための図。
【図９】Ａはレセプタクルの外観を示す斜視図、Ｂはレセプタクルの断面図。
【図１０】レセプタクルの分解斜視図。
【図１１】レセプタクルに対する光コネクタ内蔵プラグの接続途中の状態を示す断面図。
【図１２】レセプタクルに対する光コネクタ内蔵プラグの接続完了状態を示す断面図。
【図１３】レセプタクルから光コネクタ内蔵プラグを取り外し途中の状態を示す断面図。
【図１４】レセプタクルからの光コネクタ内蔵プラグの取り外しにおいてストッパが付勢され、ラッチ片が元の状態に復帰した状態を示す断面図。
【図１５】レセプタクルの正面図。
【図１６】図１１の状態における異なる位置の断面図。
【図１７】図１２の状態における異なる位置の断面図。
【図１８】図１４の状態における異なる位置の断面図。
【図１９】光コネクタを保持したプラグの従来例を示す斜視図。
【発明を実施するための形態】
【００２０】
この発明の実施形態を図面を参照して実施例により説明する。
【００２１】
図１はこの発明による光コネクタ内蔵プラグの一実施例の外観を示したものであり、図２は断面構造を示したものである。また、図３は各部に分解し、一部断面として示したものである。
【００２２】
この例では光コネクタ内蔵プラグ１００は光コネクタ１０とハウジング２０とカップリングナット３０とコイルばね（付勢部材）４０とストッパ５０とエンドベル６０とグランドナット７０とクランプサドル８０とＯリング９１，９２とねじ９５，９６とによって構成されている。光コネクタ内蔵プラグ１００は光ファイバケーブル２００の端末に取り付けられる。
【００２３】
まず、各部の構成について説明する。
【００２４】
光コネクタ１０はこの例では２心コネクタとされ、光ファイバケーブル２００から導出された２本の光ファイバ２１０が接続保持されている。光コネクタ１０は本体フレーム１１と、本体フレーム１１から前方に突出された２つのスリーブ１２を備えており、各スリーブ１２内には光ファイバ２１０の端末を保持したフェルール１３が位置されている。
【００２５】
光コネクタ１０の上面にはラッチ片１４とクリップ片１５が設けられている。ラッチ片１４は２つ設けられており、各スリーブ１２の上面から突出形成されている。ラッチ片１４はこの光コネクタ１０が挿入接続されるアダプタへの挿入方向前端（フェルール１３が突出している側）が固定端とされ、挿入方向後端が遊端とされてスリーブ１２の上面から徐々に離れるように延伸されている。ラッチ片１４の延伸方向中間部には２つの突起１４ａが幅方向両側に突出して形成されている。
【００２６】
クリップ片１５は本体フレーム１１の上面から突出して形成されており、ラッチ片１４とは逆にアダプタへの挿入方向後端が固定端とされ、挿入方向前端が遊端とされている。クリップ片１５は幅広とされ、その遊端は２つのラッチ片１４の遊端上に位置されている。
【００２７】
ハウジング２０は全体として筒状をなし、その前方側には方形状の開口を構成する開口部２１が形成されている。開口部２１の前端内壁面には１段低い段部２２が方形の４辺それぞれに形成されている。また、開口部２１の後端内壁面には凹部２３が形成されている。凹部２３は開口部２１の方形の１辺に形成されており、前端が傾斜面２３ａとされている。なお、この例では傾斜面２３ａからさらに前方に浅い段部２４が形成されている。
【００２８】
一方、ハウジング２０の後方側円筒部２５には３つの係合窓２６（図３では２つのみ見える）がほぼ９０°間隔で形成されている。また、ハウジング２０の外周面にはＯリング９１，９２が装着される２つの溝２７ａ，２７ｂが形成されている。なお、図３ではこれら溝２７ａ，２７ｂにそれぞれＯリング９１，９２が装着された状態を示している。
【００２９】
カップリングナット３０はハウジング２０より大径の円筒状をなし、ハウジング２０の外側に取り付けられる。図３はカップリングナット３０がハウジング２０に取り付けられた状態を示しており、取り付けはカップリングナット３０の内周面に突出形成されている凸部３１がハウジング２０の外周面に形成されている凹部２８に入れ込まれることによって行われ、カップリングナット３０とハウジング２０との間には環状空間が構成される。
【００３０】
ストッパ５０は図４に示したように円柱体がその軸方向に大きく、くりぬかれたような形状とされ、円柱体は段付きとされて段部５２より前方側は後方側より小径とされている。段部５２より前方側部分には光ファイバ２１０を収容する溝５１が２つ形成されている。ストッパ５０の後端側の外周面にはハウジング２０の３つの係合窓２６にそれぞれ係合する係合凸部５３が３つ突出形成されている。各係合凸部５３の周方向両端にはスリット５４が前方に延伸してそれぞれ形成されており、このスリット５４により係合凸部５３は内側に押し込み変位可能とされている。また、ストッパ５０の前面５５には前面５５と所定量離間して前面５５と平行に延び、両端が固定支持された連結部５６が形成されている。
【００３１】
エンドベル６０は後端がすぼめられた筒状をなし、このすぼめられた先の小径部６１の外周面にはねじが形成されている。
【００３２】
グランドナット７０は筒状とされてその前端側内周面にはエンドベル６０の小径部６１のねじと螺合するねじが形成されている。後端側は内径が小とされており、この部分は周の略半部が切り欠かれた形状とされている。
【００３３】
クランプサドル８０はグランドナット７０の後端側切り欠き部７１に係合する円弧形状をなし、２つのねじ９５によってグランドナット７０の切り欠き部７１にねじ止め固定されるものとなっている。
【００３４】
次に、各部の組み立てについて説明する。
【００３５】
グランドナット７０及びエンドベル６０は予め光ファイバケーブル２００に通しておき、光ファイバケーブル２００から２本の光ファイバ２１０を取り出し、それら光ファイバ２１０の端末に光コネクタ１０を取り付ける。
【００３６】
次に、図５に示したようにストッパ５０を光コネクタ１０の後端側に配置する。この際、２本の光ファイバ２１０はストッパ５０の２つの溝５１を通るようにそれぞれ溝５１に収容される。ストッパ５０の前面５５には連結部５６が形成されており、この連結部５６と前面５５との隙間に光コネクタ１０のクリップ片１５を通すことによって光コネクタ１０とストッパ５０とを連結固定する。なお、このような連結部５６とクリップ片１５の位置関係はストッパ５０を傾け、クリップ片１５の遊端側から連結部５６をクリップ片１５の内側（クリップ片１５とラッチ片１４との間の空間）に入れ込んでくることにより実現することができる。なお、図５Ｂ中、光コネクタ１０内の１６はフェルールフレームを示し、１７はフェルール１３を保持したフェルールフレーム１６を前方に付勢するコイルばねを示す。
【００３７】
次に、図６に示したようにコイルばね４０を光コネクタ１０の前端側から通す。コイルばね４０の後端はストッパ５０の段部５２に当接され、このコイルばね４０の内側に光コネクタ１０が位置される。
【００３８】
次に、ハウジング２０を光コネクタ１０の前端側から装着して取り付ける。ハウジング２０の取り付けはその係合窓２６をストッパ５０の係合凸部５３にそれぞれ係合させることによって行われる。図７はハウジング２０の係合窓２６内にストッパ５０の係合凸部５３が係合配置された状態を示したものであり、係合窓２６の軸方向（光コネクタ１０挿入方向）の長さは係合凸部５３の大きさより大とされているため、その分、ストッパ５０に対し、ハウジング２０は光コネクタ１０挿入方向に所定量変位可能とされている。なお、コイルばね４０の前端はハウジング２０の開口部２１の後壁面に当接され、ストッパ５０はコイルばね４０によって後方へ付勢されている。
【００３９】
上記のようにハウジング２０が取り付けられることにより、光コネクタ１０の２つのスリーブ１２はハウジング２０の開口部２１内に図７に示したように収容位置される。なお、スリーブ１２内に配置されているフェルール１３の先端はこの例では図７に示したようにハウジング２０の先端（前端）から飛び出すことなく、開口部２１内に位置されている。
【００４０】
次に、ハウジング２０の２つの溝２７ａ，２７ｂにＯリング９１，９２が装着され、さらに凹部２８にカップリングナット３０の凸部３１が入れ込まれてカップリングナット３０がハウジング２０に取り付けられる。
【００４１】
次に、予め光ファイバケーブル２００に通しておいたエンドベル６０をハウジング２０に固定する。固定は４つのねじ９６によって行われ、図８に示したようにエンドベル６０の前端に形成されているねじ穴６２にねじ９６を螺合し、ねじ９６の先端をハウジング２０に形成されている穴２９に挿入位置させることによって行われる。なお、このねじ９６は図１に示したように六角穴付きねじとされる。
【００４２】
最後に、エンドベル６０の小径部６１にグランドナット７０を螺合して取り付け、光ファイバケーブル２００を挟み込んでグランドナット７０の切り欠き部７１にクランプサドル８０をねじ９５を用いてねじ止め固定することによって図１及び図２に示した光コネクタ内蔵プラグ１００が完成する。
【００４３】
上記のように構成された光コネクタ内蔵プラグ１００においては図２に示したように光コネクタ１０のクリップ片１５の遊端は、ハウジング２０の開口部２１の後端内壁面に形成されている凹部２３の傾斜面２３ａに位置されている。
【００４４】
次に、上述した光コネクタ内蔵プラグ１００が接続されるレセプタクルの構成について図９〜１０を参照して説明する。図９Ａはレセプタクルの外観を示したものであり、図９Ｂは断面構造を示したものである。また、図１０はレセプタクルを分解して示したものである。
【００４５】
レセプタクル３００はレセプタクルシェル３１０とアダプタ３２０とによって構成されている。アダプタ３２０はこの例では２心コネクタ用とされ、基部３２１とその両側にそれぞれ突出形成された箱状の接続部３２２，３２３とを備えている。接続部３２２には光コネクタ１０の２つのスリーブ１２に対応する２つの方形状の開口３２４が形成されており、光コネクタ内蔵プラグ１００の光コネクタ１０はこの接続部３２２に挿入接続される。なお、もう一方の接続部３２３には光コネクタ１０と光接続される他の光コネクタが挿入接続される。
【００４６】
各開口３２４の上壁面の幅方向中央には開口端に誘い込み用の傾斜面３２５が形成されている。一方、各開口３２４の上壁面の傾斜面３２５を挟む両側には押圧部３２７が形成されており、押圧部３２７の奥側には貫通穴３２６が上壁部を貫通して形成されている。押圧部３２７の奥側の貫通穴３２６が位置する部分は光コネクタ１０のラッチ片１４の突起１４ａが係合する係合部３２６ａとして機能する。
【００４７】
レセプタクルシェル３１０は円筒部３１１とその一端に設けられた方形状をなす平板部３１２とを備えている。アダプタ３２０はこのレセプタクルシェル３１０内に収容固定される。平板部３１２にはレセプタクル３００を例えば筐体等に取り付ける際に使用する取り付け穴３１３が４つの角部に設けられている。なお、図９Ｂ中、３３０は平板部３１２の溝３１４に配置されたＯリングを示す。
【００４８】
以下、レセプタクル３００に対する光コネクタ内蔵プラグ１００の接続及び取り外しについて説明する。
【００４９】
図１１はレセプタクル３００に対し、光コネクタ内蔵プラグ１００を接続途中の状態を示したものであり、つまりアダプタ３２０への光コネクタ１０の挿入途中の状態を示したものであり、図１２はアダプタ３２０への光コネクタ１０の挿入が完了し、レセプタクル３００への光コネクタ内蔵プラグ１００の接続が完了した状態を示したものである。また、図１３及び図１４はレセプタクル３００から光コネクタ内蔵プラグ１００を取り外す際の状態を示したものである。
【００５０】
一方、図１６〜１８は図１１〜１４の断面図の断面位置とは異なり、レセプタクル３００で示せば図１５のＡ−Ａ線での断面図を示したものであり、図１６，１７，１８はそれぞれ図１１，１２，１４の状態と対応している。
【００５１】
＜接続＞
光コネクタ内蔵プラグ１００の接続は光コネクタ１０をアダプタ３２０に挿入することによって行われる。光コネクタ１０をアダプタ３２０に挿入することによりハウジング２０の開口部２１にアダプタ３２０が図１１，１６に示したように進入してくる。このアダプタ３２０の押圧部３２７によりラッチ片１４の突起１４ａは図１６に示したように押圧され、ラッチ片１４は押し下げられる。さらに、光コネクタ１０をアダプタ３２０に挿入することにより押圧部３２７は突起１４ａを通過してラッチ片１４の突起１４ａより遊端側に至る。突起１４ａは押圧部３２７の奥側の係合部３２６ａに位置し、これによりラッチ片１４は図１２，１７に示したように元の状態に復帰し、突起１４ａが係合部３２６ａに係合してラッチ片１４がアダプタ３２０に係止され、接続が完了する。なお、ハウジング２０の開口部２１前端の段部２２はアダプタ３２０の基部３２１の回りを囲むように位置される。
【００５２】
＜取り外し＞
光コネクタ内蔵プラグ１００を取り外す際はハウジング２０をコイルばね４０の付勢力に抗して図１３に示したようにレセプタクル３００から引き抜く方向へ変位させる。この例ではハウジング２０に取り付けられているカップリングナット３０を引き抜く方向へ変位させる。これによりハウジング２０の凹部２３の傾斜面２３ａに位置していたクリップ片１５の遊端は図１３に示したように変位する凹部２３の傾斜面２３ａによって押し下げられ、これに伴い、ラッチ片１４が押し下げられ、突起１４ａが係合部３２６ａから外れて係止が解除される。なお、この際、クリップ片１５の遊端側部分は傾斜面２３ａの前方の段部２４に位置される。ラッチ片１４の係止が解除されると、光コネクタ１０と連結固定され、かつコイルばね４０の付勢力を受けているストッパ５０は変位可能となり、後方へ一気に変位する。これにより光コネクタ１０もストッパ５０と共に後方へ変位してハウジング２０に対する元の位置状態に戻り、図１４，１８に示したようにラッチ片１４及びクリップ片１５が元の状態に復帰する。さらに、カップリングナット３０を引き抜く方向へ変位させれば光コネクタ内蔵プラグ１００がレセプタクル３００から離脱し、取り外しが完了する。
【００５３】
以上説明したように、この例によれば、レセプタクル３００から光コネクタ内蔵プラグ１００を取り外す際はカップリングナット３０を持って単に引き抜くといった操作によりラッチ片１４の係止を解除して取り外すことができ、よって接続時と同様１動作で、簡易に取り外すことができる。
【００５４】
また、光コネクタ１０はハウジング２０内に収容されて保護されているため、取扱い時に光コネクタ１０を誤って破損させるといった事故を防止することができ、汚れ等も付着しにくいものとなっている。
【００５５】
さらに、レセプタクル３００との接続時においてもレセプタクル３００から取り外した状態においてもラッチ片１４が押し下げられて変形したままの状態になることはないため、クリープ現象によりラッチ片１４が塑性変形したり、折れるといった事故を防止することができる。
【００５６】
なお、この例ではストッパ５０を光コネクタ１０と連結して光コネクタ１０の後方に設け、そのストッパ５０を後方へ付勢するコイルばね４０を設けたことにより、上述したような１動作でのレセプタクル３００からの取り外し及びその際のラッチ片１４の元の状態への確実な復帰を可能としているが、このようなストッパ５０とコイルばね４０を用いることによって組み立て性が損なわれることはなく、例えばコイルばね４０はその内径が光コネクタ１０の挿入方向から見てラッチ片１４及びクリップ片１５を含めた光コネクタ１０の外形より大とされているため、光コネクタ１０の前方側から容易に通すことができ、つまりストッパ５０とハウジング２０の間に容易に介在させることができ、容易に組み立てを行えるものとなっている。
【００５７】
加えて、この例では光コネクタ１０及び光コネクタ１０が挿入接続されるアダプタ３２０はＩＥＣ ６１７５４−２０に規格化された汎用品を用いるものとなっており、光コネクタ１０はこのＩＥＣ規格準拠のＬＣ２心コネクタとなっている。言い換えれば、光コネクタをこの発明に専用のものとして用意する必要はないため、その点で低コスト化を図ることができる。
【００５８】
さらに、この例では光コネクタ内蔵プラグ１００は２箇所に防水シール部材としてＯリング９１，９２が装着されており、これによりレセプタクル３００との接続時には防水構造を実現することができるものとなっている。
【符号の説明】
【００５９】
１  光コネクタ                        ２  外部ハウジング部
３  カラー部                          ４  ラッチ
５  傾斜アーム部                      ６  垂直部
７  片持ち梁部                        ７ａ  傾斜面
７ｂ  ロック縁                        ８  カム
１０  光コネクタ                      １１  本体フレーム
１２  スリーブ                        １３  フェルール
１４  ラッチ片                        １４ａ  突起
１５  クリップ片                      ２０  ハウジング
２１  開口部                          ２３  凹部
２３ａ  傾斜面                        ２４  段部
２５  後方側円筒部                    ２６  係合窓
２７ａ，２７ｂ  溝                    ３０  カップリングナット
４０  コイルばね                      ５０  ストッパ
５１  溝                              ５３  係合凸部
５４  スリット                        ５６  連結部
６０  エンドベル                      ６１  小径部
７０  グラットナット                  ７１  切り欠き部
８０  クランプサドル                  ９１，９２  Ｏリング
１００  光コネクタ内蔵プラグ          ２００  光ファイバケーブル
２１０  光ファイバ                    ３２０  アダプタ
３２４  開口                          ３２５  傾斜面
３２６ａ  係合部                      ３２７  押圧部
【図１】
2011180238.tif 000003
【図２】
2011180238.tif 000004
【図３】
2011180238.tif 000005
【図４】
2011180238.tif 000006
【図５】
2011180238.tif 000007
【図６】
2011180238.tif 000008
【図７】
2011180238.tif 000009
【図８】
2011180238.tif 000010
【図９】
2011180238.tif 000011
【図１０】
2011180238.tif 000012
【図１１】
2011180238.tif 000013
【図１２】
2011180238.tif 000014
【図１３】
2011180238.tif 000015
【図１４】
2011180238.tif 000016
【図１５】
2011180238.tif 000017
【図１６】
2011180238.tif 000018
【図１７】
2011180238.tif 000019
【図１８】
2011180238.tif 000020
【図１９】
2011180238.tif 000021